(57)【特許請求の範囲】
【請求項１】
移動通信システムにおいて、無線チャネルの複数の物理的リソース・ブロックを使用してシンボルのブロックを送信するための方法であり、シンボルの前記ブロックは、元のデータ・シンボル（６１０）と重複データ・シンボル（６２０）を含むデータ・シンボルを含んでなり、各重複データ・シンボルは元のデータ・シンボルに対応しており、前記物理的リソース・ブロック（３２０）は、送信スロット、サブバンド周波数、符号及び放射パターンのうちの少なくとも一つによって指定され、前記方法は、
第１のグループ（８００）が前記元のデータ・シンボル（６１０）の第１の領域（８１０）とそれに対応する前記重複データ・シンボル（６２０）の第２の領域（８２０）を含み、第２のグループ（８４０）が前記元のデータ・シンボル（６１０）の前記第１の領域以外の第１の部分（８４１）と、前記第１の部分（８４１）に対応する、前記重複データ・シンボル（６２０）の前記第２の領域以外の第２の部分（８４２）を含む、複数のグループ（８００、８４０）に前記データ・シンボルを分けるステップと、
前記第１の領域（８１０）を第１のスロットにマッピングし、前記第２の領域（８２０）及び前記第２のグループ（８４０）を第２のスロットへマッピングし、前記第２のグループ（８４０）の前記第１の部分（８４１）と前記第２の部分（８４２）の前記データ・シンボルを所定間隔離れた異なる物理的リソース・ブロック内へマッピングするステップと、
を有する方法。
【請求項２】
異なる物理的リソース・ブロック内へマッピングされた前記対応する元のデータ・シンボルと重複データ・シンボルは、ダイバーシチの所定のレベルを満たす、請求項１に記載の方法。
【請求項３】
シンボルの前記ブロックは少なくとも一つの制御シンボル（６３０）をさらに含んでなり、
前記少なくとも一つの制御シンボル（６３０）は、前記第１のグループ（８００）に属する前記元のデータ・シンボル（６１０）の前記第１の領域（８１０）と同じ物理的リソース・ブロック内へマッピングされ、
前記第１のグループ（８００）中のデータ・シンボルの数は、前記少なくとも一つの制御シンボル（６３０）の数に基づいて決められる、
請求項１または請求項２に記載の方法。
【請求項４】
各物理的リソース・ブロックはチャネル推定のための少なくとも一つの参照信号（４０１、９０１）を含んでなり、前記複数のグループ（８００、８４０）中の前記データ・シンボルの数は、そのグループがマッピングされる前記物理的リソース・ブロック内の参照信号（４０１、９０１）の数に基づいて決められる、請求項１から請求項３のうちのいずれか一つに記載の方法。
【請求項５】
前記複数のグループ（８００、８４０）について、第２の物理的リソース・ブロック内へマッピングされた前記第２の領域（８２０）の前記重複データ・シンボルの配列は、第１の物理的リソース・ブロック内へマッピングされた前記第１の領域（８１０）の対応する前記元のデータ・シンボル（６１０）の配列と同じである、請求項１から請求項４のうちのいずれか一つに記載の方法。
【請求項６】
移動通信システムにおいて、無線チャネルの複数の物理的リソース・ブロックを使用してシンボルのブロックを送信するための送信器であり、シンボルの前記ブロックは、元のデータ・シンボル（６１０）と重複データ・シンボル（６２０）を含むデータ・シンボルを含んでなり、各重複データ・シンボルは元のデータ・シンボルに対応しており、前記物理的リソース・ブロック（３２０）は、送信スロット、サブバンド周波数、符号及び放射パターンのうちの少なくとも一つによって指定され、前記送信器は、
第１のグループ（８００）が前記元のデータ・シンボル（６１０）の第１の領域（８１０）とそれに対応する前記重複データ・シンボル（６２０）の第２の領域（８２０）を含み、第２のグループ（８４０）が前記元のデータ・シンボル（６１０）の前記第１の領域以外の第１の部分（８４１）と、前記第１の部分（８４１）に対応する、前記重複データ・シンボル（６２０）の前記第２の領域以外の第２の部分（８４２）を含む、複数のグループ（８００、８４０）に前記データ・シンボルを分けるためのグループ化ユニット（１８１０）と、
前記第１の領域（８１０）を第１のスロットにマッピングし、前記第２の領域（８２０）及び前記第２のグループ（８４０）を第２のスロットへマッピングし、前記第２のグループ（８４０）の前記第１の部分（８４１）と前記第２の部分（８４２）の前記データ・シンボルを所定間隔離れた異なる物理的リソース・ブロック内へマッピングするためのリソース・マッパー（１８２０）と、
を具備する送信器。
【請求項７】
異なる物理的リソース・ブロック内へマッピングされた前記対応する元のデータ・シンボルと重複データ・シンボルは、ダイバーシチの所定のレベルを満たす、請求項６に記載の送信器。
【請求項８】
シンボルの前記ブロックは少なくとも一つの制御シンボル（６３０）をさらに含んでなり、
前記リソース・マッパー（１８２０）は、前記第１のグループ（８００）に属する前記元のデータ・シンボルの前記第１の領域（８１０）と同じ物理的リソース・ブロック内へ前記少なくとも一つの制御シンボル（６３０）をマッピングし、
前記グループ化ユニット（１８１０）は、前記少なくとも一つの制御シンボル（６３０）の数に基づいて、前記第１のグループ（８００）中のデータ・シンボルの数を決める、
請求項６または請求項７に記載の送信器。
【請求項９】
各物理的リソース・ブロックはチャネル推定のための少なくとも一つの参照信号（４０１、９０１）を含んでなり、
前記グループ化ユニット（１８１０）は、前記複数のグループ（８００、８４０）中の前記データ・シンボルの数を、そのグループがマッピングされる前記物理的リソース・ブロック内の参照信号（４０１、９０１）の数に基づいて決める、
請求項６から請求項８のうちのいずれか一つに記載の送信器。
【請求項１０】
前記複数のグループ（８００、８４０）について、第２の物理的リソース・ブロック内へマッピングされた前記第２の領域（８２０）の前記重複データ・シンボルの配列は、第１の物理的リソース・ブロック内へマッピングされた前記第１の領域（８１０）の対応する前記元のデータ・シンボル（６１０）の配列と同じである、請求項６から請求項９のうちのいずれか一つに記載の送信器。
【請求項１１】
移動通信システムにおいて、無線チャネルの複数の物理的リソース・ブロックを使用して送信されたシンボルのブロックを受信するための方法であり、シンボルの前記ブロックは、元のデータ・シンボル（６１０）と重複データ・シンボル（６２０）を含むデータ・シンボルを含んでなり、各重複データ・シンボルは元のデータ・シンボルに対応しており、前記物理的リソース・ブロック（３２０）は、送信スロット、サブバンド周波数、符号及び放射パターンのうちの少なくとも一つによって指定され、前記方法は、
前記元のデータ・シンボル（６１０）の第１の領域（８１０）とそれに対応する前記重複データ・シンボル（６２０）の第２の領域（８２０）のうちの少なくとも一つを含み、前記元のデータ・シンボル（６１０）の第１の領域（８１０）以外の第１の部分（８４１）と、前記第１の部分（８４１）に対応する、前記重複データ・シンボル（６２０）の前記第２の領域（８２０）以外の第２の部分（８４２）のうちの少なくとも一つを含む、各リソース・ブロックから前記データ・シンボルをデマッピング（１８３０）するステップと、
前記元のデータ・シンボル（６１０）の前記第１の領域（８１０）を、それに対応する前記重複データ・シンボル（６２０）の前記第２の領域（８２０）と共に、第１のグループ（８００）にグループ化し、前記元のデータ・シンボル（６１０）の前記第１の部分（８４１）を、前記第１の部分（８４１）に対応する、前記重複データ・シンボル（６２０）の前記第２の部分（８４２）と共に、第２のグループ（８４０）にグループ化する（１８４０）ステップと、
前記第１のグループ（８００）及び前記第２のグループ（８４０）の前記元のデータ・シンボルと前記重複データ・シンボルを元のデータ・シンボルと重複データ・シンボルに再編成する（１８５０）ステップと、
を有し、
前記第１の領域（８１０）は第１のスロットにマッピングされ、前記第２の領域（８２０）及び前記第２のグループ（８４０）は第２のスロットへマッピングされ、前記第２のグループ（８４０）の前記第１の部分（８４１）と前記第２の部分（８４２）の前記データ・シンボルは所定間隔離れた異なる物理的リソース・ブロック内へマッピングされている、
方法。
【請求項１２】
異なる物理的リソース・ブロック内へマッピングされた前記対応する元のデータ・シンボルと重複データ・シンボルは、ダイバーシチの所定のレベルを満たす、請求項１１に記載の方法。
【請求項１３】
シンボルの前記ブロックは少なくとも一つの制御シンボル（６３０）をさらに含んでなり、
前記少なくとも一つの制御シンボル（６３０）は、前記第１のグループ（８００）に属する前記元のデータ・シンボルの前記第１の領域（８１０）と同じ物理的リソース・ブロックからデマッピングされ、
前記第１のグループ（８００）中のデータ・シンボルの数は、前記少なくとも一つの制御シンボル（６３０）の数に基づいて決められる、
請求項１１または請求項１２に記載の方法。
【請求項１４】
各物理的リソース・ブロックはチャネル推定のための少なくとも一つの参照信号（４０１、９０１）を含んでなり、前記第１のグループ（８００）及び前記第２のグループ（８４０）中の前記データ・シンボルの数は、そのグループがそこからデマッピングされる前記物理的リソース・ブロック内の参照信号（４０１、９０１）の数に基づいて決められる、請求項１１から請求項１３のうちのいずれか一つに記載の方法。
【請求項１５】
前記第１のグループ（８００）及び前記第２のグループ（８４０）について、第２の物理的リソース・ブロックからデマッピングされた前記第２の領域（８２０）の前記重複データ・シンボルの配列は、第１の物理的リソース・ブロックからデマッピングされた前記第１の領域（８１０）の対応する前記元のデータ・シンボルの配列と同じである、請求項１１から請求項１４のうちのいずれか一つに記載の方法。
【請求項１６】
移動通信システムにおいて、無線チャネルの複数の物理的リソース・ブロックを使用して送信されたシンボルのブロックを受信するための受信器であり、シンボルの前記ブロックは、元のデータ・シンボル（６１０）と重複データ・シンボル（６２０）を含むデータ・シンボルを含んでなり、各重複データ・シンボルは元のデータ・シンボルに対応しており、前記物理的リソース・ブロック（３２０）は、送信スロット、サブバンド周波数、符号及び放射パターンのうちの少なくとも一つによって指定され、前記受信器は、
前記元のデータ・シンボル（６１０）の第１の領域（８１０）とそれに対応する前記重複データ・シンボル（６２０）の第２の領域（８２０）のうちの少なくとも一つを含み、前記元のデータ・シンボル（６１０）の第１の領域（８１０）以外の第１の部分（８４１）と、前記第１の部分（８４１）に対応する、前記重複データ・シンボル（６２０）の前記第２の領域（８２０）以外の第２の部分（８４２）のうちの少なくとも一つを含む、各リソース・ブロックから前記データ・シンボルをデマッピングするためのデマッパー（１８３０）と、
前記元のデータ・シンボル（６１０）の前記第１の領域（８１０）を、それに対応する前記重複データ・シンボル（６２０）の前記第２の領域（８２０）と共に、第１のグループ（８００）にグループ化し、前記元のデータ・シンボル（６１０）の前記第１の部分（８４１）を、前記第１の部分（８４１）に対応する、前記重複データ・シンボル（６２０）の前記第２の部分（８４２）と共に、第２のグループ（８４０）にグループ化するためのグループ化ユニット（１８４０）と、
前記第１のグループ（８００）及び前記第２のグループ（８４０）の前記元のデータ・シンボルと前記重複データ・シンボルを元のデータ・シンボルと重複データ・シンボルに再編成するための再編成ユニット（１８５０）と、
を具備し、
前記第１の領域（８１０）は第１のスロットにマッピングされ、前記第２の領域（８２０）及び前記第２のグループ（８４０）は第２のスロットへマッピングされ、前記第２のグループ（８４０）の前記第１の部分（８４１）と前記第２の部分（８４２）の前記データ・シンボルは所定間隔離れた異なる物理的リソース・ブロック内へマッピングされている、
受信器。
【請求項１７】
異なる物理的リソース・ブロック内へマッピングされた前記対応する元のデータ・シンボルと重複データ・シンボルは、ダイバーシチの所定のレベルを満たす、請求項１６に記載の受信器。
【請求項１８】
シンボルの前記ブロックは少なくとも一つの制御シンボル（６３０）をさらに含んでなり、
前記リソース・デマッパー（１８３０）は、前記少なくとも一つの制御シンボル（６３０）を前記第１のグループ（８００）に属する前記元のデータ・シンボルの前記第１の領域（８１０）と同じ物理的リソース・ブロックからデマッピングし、
前記グループ化ユニット（１８４０）は、前記少なくとも一つの制御シンボル（６３０）の数に基づいて、前記第１のグループ（８００）中のデータ・シンボルの数を決める、
請求項１６または請求項１７に記載の受信器。
【請求項１９】
各物理的リソース・ブロックはチャネル推定のための少なくとも一つの参照信号（４０１、９０１）を含んでなり、
前記グループ化ユニット（１８４０）は、前記第１のグループ（８００）及び前記第２のグループ（８４０）中の前記データ・シンボルの数を、そのグループがそこからデマッピングされる前記物理的リソース・ブロック内の参照信号（４０１、９０１）の数に基づいて決める、
請求項１６から請求項１８のうちのいずれか一つに記載の受信器。
【請求項２０】
前記第１のグループ（８００）及び前記第２のグループ（８４０）について、第２の物理的リソース・ブロックからデマッピングされた前記第２の領域（８２０）の前記重複データ・シンボルの配列は、第１の物理的リソース・ブロックからデマッピングされた前記第１の領域（８１０）の対応する前記元のデータ・シンボルの配列と同じである、請求項１６から請求項１９のうちのいずれか一つに記載の受信器。
【発明の詳細な説明】
【技術分野】
【０００１】
本発明は、移動通信ネットワークを介した反復重複のあるシンボルの送信に関係し、特に同シンボルのシステム・リソースへのマッピングに関係する。
【背景技術】
【０００２】
３ＧＰＰ（Third-Generation Partnership Project）内で標準化された、例えば、ＵＭＴＳ（Universal Mobile Telecommunication System）などの第三世代（３Ｇ）移動通信システムは、ＷＣＤＭＡ（Wideband Code Division Multiple Access;広帯域符号分割多元接続）技術に基づいたものである。今日、３Ｇシステムは、世界中で広範な規模で展開されつつある。この技術を強化する最初の段階は、高速ダウンリンク・パケット・アクセス（ＨＳＤＰＡ）と機能強化されたアップリンク(高速アップリンク・パケット・アクセス（ＨＳＵＰＡ）とも呼ばれる)の導入を伴い、これらはどちらも、普通のＵＭＴＳに比べて、スペクトル効率と柔軟性の面で無線アクセスの向上をもたらす。
【０００３】
ＨＳＤＰＡとＨＳＵＰＡはＷＣＤＭＡ無線アクセス技術をまだ利用しているが、ＵＭＴＳ標準の次の主要な段階または進展は、ダウンリンク用の直交周波数分割多重（ＯＦＤＭ）とアップリンク用の単一キャリア周波数分割多元接続（ＳＣ−ＦＤＭＡ）の組み合わせをもたらした。新しい研究項目(後には、作業項目となった)は、将来の技術進展に対応すべく意図されていることから、「進化したＵＭＴＳ地上波無線アクセス（ＵＴＲＡ）とＵＭＴＳ地上波無線アクセス・ネットワーク（ＵＴＲＡＮ）」と名付けされた。これらは、Ｅ−ＵＴＲＡ及びＥ−ＵＴＲＡＮと略記され、しばしば、ロングタームエボリューション（ＬＴＥ）と呼ばれる。
【０００４】
ＬＴＥの目標は、ＨＳＤＰＡ及びＨＳＵＰＡに比べて大幅に高いデータ伝送速度を達成すること、高いデータ伝送速度に対応するカバレッジを向上すること、より上位層のプロトコル（例えば、ＴＣＰ）の性能を向上させるためにユーザ・プレーンにおけるレイテンシーを大幅に減少させること、並びに、例えば、セッション設定などの制御プレーンの手順に伴う遅延を減少させることである。すべての将来のサービスの基礎として、インターネット・プロトコル（ＩＰ）の使用に収束させることと、ひいてはパケット交換（ＰＳ）分野の強化に焦点を絞っている。
【０００５】
無線アクセス・ネットワークは、一般に、無線チャネル・リソースのスケジューリングを含む、すべての無線アクセスに関係した機能を処理することを担う。コア・ネットワークは、呼及びデータ接続を外部ネットワークへルーティングすることを担う。一般に、今日の移動通信ネットワーク（例えば、ＧＳＭ、ＵＭＴＳ、ｃｄｍａ２００、ＩＳ−９５、及びこれらの進化したバージョン）は、物理的リソースを定義するために、時間及び／または周波数及び／または符号及び／またはアンテナ放射パターンを使用する。これらのリソースは、単一のユーザ用の送信にまたは複数のユーザに分割された送信に割当て可能である。例えば、送信時間は、タイム・スロットと通常呼ばれる時間期間に分割可能であり、それを異なるユーザに、または単一ユーザのデータの送信のために割り当てることができる。上記の移動通信システムの周波数バンドは、複数のサブバンドに分割可能である。データは、（準）直交拡散符号を使用して拡散可能であり、異なる符号によって拡散された異なるデータを、例えば、同一の周波数及び／または時間を使用して送信できる。別の可能性は、同時に同一の周波数上で及び／または同一の符号を使用して異なるデータの送信用のビームを形成するために、送信アンテナの異なる放射パターンを使用することである。
【０００６】
ＬＴＥにおいて定義されたアーキテクチャは、進化したパケット・システム（ＥＰＳ）と呼ばれ、無線アクセス側のＥ−ＵＴＲＡＮは別として、コア・ネットワーク側では進化したパケット・コア（ＥＰＣ）をも含んでなる。ＬＴＥは、次の十年までに、高速データ及びメディア伝送のための並びに高容量の音声のサポートを提供するための通信事業者の要求事項を満たすように設計されている。
【０００７】
ＬＴＥネットワークは、アクセス・ゲートウェイ（ａＧＷ）といわゆる拡張型ノードＢ（ｅＮＢ）という拡張型基地局からなる２ノード・アーキテクチャである。アクセス・ゲートウェイは、コア・ネットワークの機能、すなわち、呼及びデータ接続の外部ネットワークへのルーティングを処理し、かつ無線アクセス・ネットワークの機能も実行する。したがって、アクセス・ゲートウェイは、今日の３ＧネットワークにおいてゲートウェイＧＰＲＳサポート・ノード（ＧＧＳＮ）及びサービングＧＰＲＳサポート・ノード（ＳＧＳＮ）によって実行される機能と、例えば、ヘッダ圧縮、暗号化／インテグリティ保護といった無線アクセス・ネットワークの機能を統合するものと考えることができる。拡張型ノードＢは、例えば、無線リソース制御（ＲＲＣ）、リソースの分割／連結、スケジューリング及び割当て、多重化及び物理層機能といった機能を処理する。Ｅ−ＵＴＲＡＮの無線インタフェースは、したがって、ユーザ装置（ＵＥ）と拡張型ノードＢの間のインタフェースである。ここで、ユーザ装置とは、ＬＴＥ標準に準拠する受信器／送信器を備えた、例えば、移動端末、ＰＤＡ，携帯型ＰＣ、ＰＣ、またはその他のいずれかの装置であり得る。ここで述べたアーキテクチャは、図１９に例示される。
【０００８】
Ｅ−ＵＴＲＡＮ無線インタフェースに対して導入されたマルチキャリア送信は、無線チャネル周波数選択性による信号破損増加を被ることなく、全体の送信帯域幅を増加する。提案されたＥ−ＵＴＲＡＮシステムは、ダウンリンクではＯＦＤＭを、アップリンクではＳＣ−ＦＤＭＡを使用し、局当たり最大４本のアンテナを用いたＭＩＭＯを採用する。ＵＭＴＳの初期のリリースにおけるような単一の広帯域信号を送信する代わりに、「サブキャリア」と呼ばれる複数の狭帯域信号が、周波数多重化され、無線リンク上で合同で送信される。これは、Ｅ−ＵＴＲＡがスペクトル利用に関して柔軟性と効率性をよりいっそう高めることを可能にする。
【０００９】
３ＧＰＰのＬＴＥでは、以下にあげるダウンリンクの物理的チャネルが定義されている（非特許文献１）（http://www.3gpp.orgにて得られ、参照により本文書に援用される）。
【００１０】
-  物理的ダウンリンク共有チャネル（ＰＤＳＣＨ）
-  物理的ダウンリンク制御チャネル（ＰＤＣＣＨ）
-  物理的ブロードキャスト・チャネル（ＰＢＣＨ）
-  物理的マルチキャスト・チャネル（ＰＭＣＨ）
-  物理的制御フォーマット・インジケータ・チャネル（ＰＣＦＩＣＨ）
-  物理的ＨＡＲＱインジケータ・チャネル（ＰＨＩＣＨ）
ＰＤＳＣＨは、データ及びマルチメディア伝送に使用され、そのため高いデータ伝送速度に設計される。ＰＤＳＣＨは、ダウンリンク伝送、つまり、拡張型ノードＢから少なくとも一つのＵＥへの伝送用に設計されている。一般に、この物理的チャネルは、離散的な物理的リソース・ブロックに分割され、複数のＵＥによって共有され得る。拡張型ノードＢ内のスケジューラが、それぞれに対応するリソースの割当てを担当し、割当て情報がシグナリングされる。ＰＤＣＣＨは、ＵＥ固有の制御情報を伝達する。
【００１１】
ＬＴＥにおける一般的なベースバンド信号処理が図１に示される（非特許文献２）（http://www.3gpp.orgにて得られ、参照により本文書に援用される）。最初に、ユーザ・データまたは制御データを含む情報ビットがブロック単位で符号化される（ターボ符号化などの順方向誤り訂正によるチャネル符号化）。符号化されたビットのブロックは、次にスクランブル処理される（１１０）。ダウンリンク中で隣接するセル（升目）に対して異なるスクランブリング・シーケンスを適用することによって、干渉信号がランダム化され、チャネル符号によって与えられた処理ゲインの完全利用を確実にする。採用された変調方式に応じた所定のビット数のシンボルとなる、スクランブル処理されたビットのブロックは、データ変調器を使用して、複素変調シンボルのブロックに変換される（１２０）。ＬＴＥダウンリンクによってサポートされている変調方式のセットは、変調シンボル当たり２ビット、４ビットまたは６ビットに対応する、ＱＰＳＫ、１６−ＱＡＭ及び６４−ＱＡＭを含む。
【００１２】
層マッピング１３０と予符号化１４０は、より多くの受信及び／または送信アンテナをサポートする多重入出力（ＭＩＭＯ）の適用に結びついたものである。ＬＴＥは、最大４本の送信アンテナをサポートする。アンテナ・マッピングは、送信ダイバーシチ、ビーム形成、及び空間的多重化を含むマルチアンテナ方式を提供するように、いろいろ方法で構成され得る。各アンテナで送信されるべく、こうして得られたシンボルのセットは、無線チャネルのリソース上に、すなわち、送信のためにスケジューラによって特定のＵＥに対して割り当てられたリソース・ブロックのセットにさらにマッピングされる（１５０）。スケジューラによるリソース・ブロックのセットの選択は、チャネル品質インジケータ（ＣＱＩ）（ＵＥによってアップリンクでシグナリングされる、ダウンリンクの測定されたチャネル品質を反映するフィードバック情報）に依存する。物理的リソース・ブロックへのシンボルのマッピング後に、ＯＦＤＭ信号が生成されて（１６０）、送信される。ＯＦＤＭ信号の生成は、離散逆フーリエ変換を用いて行なわれる。
【００１３】
ＯＦＤＭ送信用の物理的リソースは、時間−周波数グリッド（碁盤目）形式でよく図示されるが、このグリッド形式では、各列が一つのＯＦＤＭシンボルに相当し、各行が一つのＯＦＤＭサブキャリアに相当し、コラム番号は時間領域内でのリソースの位置を指定し、行番号は周波数領域内でのリソースの位置を指定する。
【００１４】
図２は、ＬＴＥの送信向けの時間領域構成を示す。無線通信フレーム２３０は、従来のＵＭＴＳリリースにおける無線通信フレームの長さと同じのＴｆｒａｍｅ＝ １０ ｍｓの長さをもつ。各無線通信フレームは、均一の大きさの、１０個の等しい長さＴｓｕｂｆｒａｍｅ ＝ １ｍｓのサブフレーム２２０からさらに構成される。各サブフレーム２２０は、均一の大きさの、長さＴｓｌｏｔ＝ ０．５ ｍｓの２個のタイム・スロット（ＴＳ）２１０からさらに構成される。最後に、各スロットは、所定の長さのサイクリック・プレフィックスを含む、ある数のＯＦＤＭシンボルからなる。ここで、ＯＦＤＭシンボルとは、一つの時間間隔内に送信されるべき数のサブキャリア・シンボルからなる、リソース・グリッド中のある列の離散逆フーリエ変換によって作られる、送信されるべきシンボルのことを言う。ＯＦＤＭシンボルのプレフィックスは、シンボル間干渉に対処するために、ＯＦＤＭシンボルを分離する機能をもつ。ＬＴＥ標準は、通常のサイクリック・プレフィックスと拡張サイクリック・プレフィックスの二つの異なる長さをもつサイクリック・プレフィックスを規定する。プレフィックスの長さに応じて、１５ ｋＨｚのサブキャリア間隔とすると、１スロットには７個または６個のＯＦＤＭシンボルがそれぞれ存在する。
【００１５】
ダウンリンクにおいて一つのタイム・スロットＴＳ０ ２１０に入るサブキャリアとＯＦＤＭシンボルの時間−周波数グリッドを図３に示す。一つのＯＦＤＭシンボルの単一のサブキャリアに相当する最小の時間−周波数リソースは、リソース要素３１０と呼ばれる。ダウンリンクの個々のサブキャリアは、物理的リソース・ブロック（ＰＲＢ）３２０にさらにグループ化される。各物理的リソース・ブロック３２０は、いわゆるサブバンドを形成し、規定された数のＯＦＤＭシンボルを含む０．５ ｍｓのスロット２１０の全長にわたる１２個の連続サブキャリアからなる。上記サブバンドは、１８０ ｋＨｚの帯域幅を占有する。
【００１６】
ＯＦＤＭ送信の場合のダウンリンク・チャネルを推定するために、参照信号（パイロット）が時間−周波数グリッド中に一定の間隔で挿入される。このようなシンボルは、ＬＴＥダウンリンク参照信号と呼ばれる。図４は、ＬＴＥダウンリンク参照信号４０１の分布を示す。これによると、図４Ａは、１個のアンテナ・ポート４１０についてのＬＴＥダウンリンク参照信号４０１の１サブフレーム内の分布を示す。図４Ｂと図４Ｃは、２個のアンテナ・ポート４２１、４２２と４個のアンテナ・ポート４４１、４４２、４４３、４４４についてのＬＴＥダウンリンク参照信号４０１をそれぞれ示す。２個以上のアンテナ・ポートの場合には、他のアンテナ・ポートのＬＴＥダウンリンク参照信号の位置と一致する位置にあるリソース要素４０２は送信に使用されない。これは、各送信アンテナごとに、ＵＥが正確なキャリア対干渉比（ＣＩＲ）推定を得る必要があるからである。したがって参照信号が一つのアンテナ・ポートから送信されるとき、そのセル（升目）では他のアンテナはアイドルである。
【００１７】
各ＬＴＥリソース・ブロックは、１２個のサブキャリアと所定の数（例えば、７個または６個）のＯＦＤＭシンボルからなり、これによりある量のリソース要素（この例では８４個または７２個）を与える。しかし、このリソース要素の量から、データの送信に使用できるのはその一部だけである。一部のリソースは、図４に示すようにＬＴＥダウンリンク参照信号のために確保される。他の部分は、第１層（Ｌ１）及び第２層（Ｌ２）制御シグナリング用に使用される。
【００１８】
ＬＴＥでは、Ｌ１／Ｌ２制御信号は、サブフレームの最初のｎ個のＯＦＤＭシンボルにマッピングされる。ここで、ｎは１以上３以下である。サブフレームの先頭部でＬ１／Ｌ２制御信号を送信することは、そこに含まれた対応するＬ１／Ｌ２制御情報を初めに復号するという利点をもつ。したがって、一つのＯＦＤＭシンボル内に制御シグナリングとデータが混在することはない。それ故に、サブフレーム２２０は二つのタイム・スロットＴＳ０とＴＳ１からなる。第１のタイム・スロットＴＳ０は、制御とデータの両方のＯＦＤＭシンボルを運ぶ。第２のタイム・スロットＴＳ１は、続いて、データ・シンボルだけを運ぶ。したがって、第１のタイム・スロットＴＳ０中でデータ用に利用できるリソース要素の数は、制御ＯＦＤＭシンボルの数に依存する。さらに、第１と第２の両方のタイム・スロット中でデータ用に利用できるリソース要素の数は、ＬＴＥダウンリンク参照信号の数に依存する。
【００１９】
変調マッピング１２０と、場合により、層マッピング１３０及び予符号化１４０の後で、無線チャネルのリソースへの変調シンボルのリソース・マッピング１５０は、仮想リソース・ブロック（ＶＲＢ）を最初に作ることによって行なわれる。物理的チャネルの送信に使用される各アンテナ・ポートごとに、図５に示すように、初めに周波数の順序で（一つの列の各行を埋める）、次に時間の順序で（各列を埋める）、複素数値シンボルのブロックがリソース要素にマッピングされる。仮想リソース・ブロックのペアが、スケジューラによってアドレス指定可能な最小のリソース部分に相当する。このリソース部分は、第１及び第２のタイム・スロットを含むサブフレームの大きさと構成を有する。仮想リソース・ブロックのペアは、次に、物理的リソース・ブロックのペアにマッピングされる。
【００２０】
ＬＴＥダウンリンクの物理的リソース・ブロック上への仮想リソース・ブロックのマッピングのしかたにより、以下の二つのタイプの仮想リソース・ブロックが定義される。
【００２１】
−  局所化仮想リソース・ブロック（ＬＶＲＢ）
−  分散化仮想リソース・ブロック（ＤＶＲＢ）
局所化ＶＲＢを使用する局所化送信モードでは、隣接する物理的リソース・ブロックが単一のユーザ装置への送信に割り当てられる。分散化ＶＲＢを使用する分散化送信モードでは、同一ＵＥ宛てのデータを運ぶ物理的リソース・ブロックが周波数バンド中で分散される。
【００２２】
周波数領域においてマルチユーザ・ダイバーシチを利用し、スケジューリング・ゲインを得るためには、任意のユーザ宛てのデータは、そのユーザが良いチャネル品質をもつリソース・ブロック上に割り当てられるべきである。通常、このようなリソース・ブロックは互いに近接しているため、局所化モードが好ましい。局所化タイプのＶＲＢの諸ペアは、ＰＲＢｓの諸ペアに直接マッピングされる。
【００２３】
分散化ＶＲＢは、周波数選択的なスケジューリングがＵＥｓにとって適切でない場合に、ダイバーシチ・ゲインを利用するように適合される。複数の連続して分散されたＶＲＢを単一ＵＥに割り当てることのダイバーシチ・レベルを最大にするために、分散化ＶＲＢは十分に離れた物理的リソース・ブロックにマッピングされる。
【００２４】
両方のタイプのＶＲＢペア（局所化と分散化）について、図５に示したように、一つのサブフレームは、単一のＶＲＢ番号によってまとめてアドレス指定される。ＶＲＢペアは、０から割り当てられたダウンリンク・リソース・ブロック数−１の数まで番号付けされる。所望の周波数ギャップは、システム帯域幅により異なり、予め定義される（非特許文献３）（http://www.3gpp.orgにて得られ、参照により本文書に援用される）。図５は、５ ＭＨｚのシステム帯域幅として、分散化仮想リソース・ブロックの諸ペアを物理的リソース・ブロックの諸ペアにマッピングする一例を示す。例えば、５ ＭＨｚのＬＴＥシステムの場合には、システム帯域幅は周波数内で２４個のＰＲＢｓからなる。分散化仮想リソース・ブロックのペアがそこにマッピングされる、物理的リソース・ブロックのペア間の周波数ギャップＮｇａｐは、ＰＲＢｓグリッド５００に示すように、物理的リソース・ブロック１２個分である。この周波数ギャップは、十分な周波数ダイバーシチを与える。この例では、ＶＲＢのうちの二つのペアＶＲＢ０とＶＲＢ１が、あるＵＥへの送信用に割り当てられたとする。ＶＲＢ０の第１のタイム・スロットＴＳ０は、グリッド５００中の１番目のＰＲＢの第１のタイム・スロットＴＳ０にマッピングされる。ＶＲＢ０の第２のタイム・スロットＴＳ１は、１３番目のＰＲＢの第２のタイム・スロットにマッピングされる。同様に、ＶＲＢ１の第１のタイム・スロットは、７番目のＰＲＢの第１のタイム・スロットにマッピングされ、ＶＲＢ１の第２のタイム・スロットは、１９番目のＰＲＢの第２のタイム・スロットにマッピングされる。このように、１２個分の周波数ギャップＮｇａｐが、ＶＲＢの単一のペアに属するＰＲＢｓ間で得られる。さらに、ＯＦＤＭシンボル７個分に相当する一つのタイム・スロットの時間ギャップが得られる。言い換えれば、分散化ＶＲＢペアは、システム帯域幅の半分に当たる間隔で飛び飛びにされる。この方式は、特にシステム帯域幅がより大きいほど、周波数ダイバーシチを向上させる。
【００２５】
反復重複のあるシンボルを物理的リソースにマッピングする場合、状況はもっと複雑になる。これを図６に示す。変調において次数２のシンボル繰返しを行なうとすれば、元のデータ・シンボル６１０が一回繰り返されて、重複データ・シンボル６２０を得る。情報ビットは、元のデータ・シンボルと重複データ・シンボルを得るように二つのコンステレーションにマッピングされる。この二つのコンステレーションは同じでことも、異なることもあり得る。そのため、重複データ・シンボルは、元のデータ・シンボルと同じ変調シンボルに必ずしも結果的にならない。上述したマッピングによれば、制御シンボル６３０がＶＲＢの第１のタイム・スロットの最初のｎ個のＯＦＤＭシンボルを埋め、それに続き、元のデータ６１０と重複データ６２０が第１及び第２のタイム・スロットに入る。次に、物理的リソース・ブロックへのマッピングが上述したとおりに行なわれる。すなわち、制御シンボル６３０が、元のデータ・シンボル６１１の最初の部分と一緒に、第１の物理的リソース・ブロックＰＲＢ０の第１のタイム・スロットにマッピングされる。次に、元のデータ・シンボルの残りの部分６１２は、重複シンボル６２０と一緒に、第２の物理的リソース・ブロックＰＲＢ１２の第２のタイム・スロットにマッピングされ、このときＰＲＢ０とＰＲＢ１２の間には１２個分の周波数ギャップがある。しかし、ＶＲＢの 第１のタイム・スロットの先頭の数個のＯＦＤＭシンボルには制御シンボルがマッピングされたために、同一のＰＲＢ（周波数内の）にマッピングされた第２のタイム・スロットは、ここでは元のシンボル６１２とその重複の両方を含んでいる。そのため、１２個分の周波数ギャップに相当するダイバーシチの所望のレベルが、元のデータ・シンボルと重複データ・シンボルについて得られない。次の表は、５ ＭＨｚのシステムを前提にしたこのリソース・マッピング規則に関して、元のデータ・シンボルと重複データ・シンボルの間で所望の周波数ギャップを得る度合いを示す。
【００２６】
【表１】
0005468606.tif 000002
【００２７】
元のデータ・シンボルと重複データ・シンボルの各ペア間で１２個分の所望の周波数ギャップを得る度合いをすべてのシンボル・ペアについて取得した。周波数ダイバーシチのレベルは、割当てサイズが増加するにつれて減少する。ここで、割当てサイズとは、送信に割り当てられたＰＲＢペアの数のことを言う。データ・シンボル間のＯＦＤＭシンボル数単位の距離としての時間ダイバーシチも、割当てサイズに依存する。ダイバーシチ・レベルの低下は、ブロック・エラー率（ＢＬＥＲ）としてのシステム性能の低下を引き起こす。
【先行技術文献】
【非特許文献】
【００２８】
【非特許文献１】3GPP TS 36.211 "Physical Channels and Modulations", Release 8, v. 8.3.0, May 2008
【非特許文献２】3GPP TS 36.211 "Multiplexing and Channel Coding", Release 8, v. 8.3.0, May 2008
【非特許文献３】3GPP TS 36.213 "Physical Layer Procedures", Release 8, v. 8.3.0, May 2008
【発明の概要】
【発明が解決しようとする課題】
【００２９】
本発明の目的は、上述した問題を克服し、元のデータ・シンボルと重複データ・シンボル間のダイバーシチのレベルを高めることによって、反復重複のあるデータ・シンボルの効率的送信を可能にする送信方法、受信方法、送信器、及び受信器を提供することである。
【課題を解決するための手段】
【００３０】
これは、独立請求項の特徴によって達成される。
【００３１】
本発明の有利な実施形態は、従属請求項の主題である。
【００３２】
反復重複のあるデータ・シンボルをグループに分けることが、本発明の独特な手法である。データ・シンボルは、元のデータ・シンボルと重複データ・シンボルを含む。ここで、重複データ・シンボルは、元のデータ・シンボルと対応する。各グループは、元のデータ・シンボルで形成される第１の部分と、第１の部分の元のデータ・シンボルに対応する重複データ・シンボルで形成される第２の部分を含んでなる。次に、グループの各部分のデータ・シンボルが異なる物理的リソース・ブロックにマッピングされる。
【００３３】
このグループ化とマッピングの結果として、対応する元のデータ・シンボルと重複データ・シンボルは、異なる物理的リソース・ブロックにマッピングされる。したがって、データ・シンボルのマッピングに利用可能なリソース要素の数がペアをなす２個の物理的リソース・ブロックで異なる場合でも、元のデータ・シンボルとそれに対応する重複データ・シンボルについてのダイバーシチを向上させることが可能である。ダイバーシチ・レベルの増加は、通常、ＢＬＥＲの向上をもたらし、ひいてはシステム全体の性能向上をもたらす。
【００３４】
本発明の第１の態様によれば、移動通信システムにおいて、無線チャネルの複数の物理的リソース・ブロック内でシンボルのブロックを送信するための方法が提供される。シンボルの上記ブロックは、データ・シンボルを含んでなり、データ・シンボルは元のデータ・シンボルと重複データ・シンボルを含む。重複データ・シンボルは、元のデータ・シンボルに対応する。上記物理的リソース・ブロックは、送信スロット、サブバンド周波数、符号及び放射パターンのうちの少なくとも一つによって指定される。最初に、上記データ・シンボルは複数のグループに分けられる。一つのグループは、元のデータ・シンボルの第１の部分とそれに対応する重複データ・シンボルの第２の部分を含む。次に、グループの各部分のデータシンボルが、異なる物理的リソース・ブロック内へマッピングされる。
【００３５】
本発明の別の態様によれば、移動通信システムにおいて、無線チャネルの複数の物理的リソース・ブロックを使用してシンボルのブロックを送信するための送信器が提供される。シンボルの上記ブロックは、元のデータ・シンボルと重複データ・シンボルを含むデータ・シンボルを含んでなる。各重複データ・シンボルは元のデータ・シンボルに対応する。上記物理的リソース・ブロックは、送信スロット、サブバンド周波数、符号、及び放射パターンのうちの少なくとも一つによって指定される。上記送信器は、グループ化ユニットとリソース・マッパーを具備する。上記グループ化ユニットは、データ・シンボルを複数のブロックに分けることができる。この各グループは、元のデータ・シンボルの第１の部分とそれに対応する重複データ・シンボルの第２の部分を含む。上記リソース・マッパーは、グループの各部分のデータ・シンボルを異なる物理的リソース・ブロック内へマッピングすることができる。
【００３６】
本発明のさらに別の態様によれば、移動通信システムにおいて、無線チャネルの複数の物理的リソース・ブロックを使用して送信されたシンボルのブロックを受信するための方法が提供される。シンボルの上記ブロックはデータ・シンボルを含み、データ・シンボルは元のデータ・シンボルとそれに対応する重複データ・シンボルを含む。上記物理的リソース・ブロックは、送信スロット、サブバンド周波数、符号及び放射パターンのうちの少なくとも一つによって指定される。最初に、上記データ・シンボルは異なる物理的リソース・ブロックからデマッピングされる。各上記リソース・ブロックは、元のデータ・シンボルの第１の部分と重複データ・シンボルの第２の部分のうちの少なくとも一つを含む。元のデータ・シンボルの第１の部分が、次に、それに対応する重複データ・シンボルの第２の部分と共に、グループにグループ化される。このようにして、複数のグループが形成される。最後に、複数のグループの元のデータ・シンボルと重複データ・シンボルは、元のデータ・シンボルと重複データ・シンボルの組み合わせにまとめられる。
【００３７】
本発明のさらに別の態様によれば、移動通信システムにおいて、無線チャネルの複数の物理的リソース・ブロックを使用して送信されたシンボルのブロックを受信するための受信器が提供される。シンボルの上記ブロックは、対応する元のデータ・シンボルと重複データ・シンボルを含むデータ・シンボルを含んでなる。上記物理的リソース・ブロックは、送信スロット、サブバンド周波数、符号及び放射パターンのうちの少なくとも一つによって指定される。上記受信器は、上記データ・シンボルを異なる物理的リソース・ブロックから取り出すためのデマッパーを具備する。各リソース・ブロックは、元のデータ・シンボルの第１の部分と重複データ・シンボルの第２の部分のうちの少なくとも一つを含む。上記受信器は、元のデータ・シンボルの第１の部分を、それに対応する重複データ・シンボルの第２の部分と共に、グループにグループ化するためのグループ化ユニットをさらに具備する。上記受信器はまた、複数のグループからの元のデータ・シンボルと重複データ・シンボルを元のデータ・シンボルと重複データ・シンボルの組み合わせにまとめるための再編成ユニットを具備する。
【００３８】
好ましくは、異なる物理的リソース・ブロックへマッピングされた上記対応する元のデータ・シンボルと重複データ・シンボルは、ダイバーシチの所定のレベルを達する。
【００３９】
好ましくは、ダイバーシチのレベルは、重複データ・シンボルとそれに対応する元のシンボルの間のリソース空間内の距離として指定される。特に、上記距離は、元のデータ・シンボルとそれに対応する重複データ・シンボルの間の周波数ギャップとして指定され得る。上記ダイバーシチはまた、時間領域内では、元のデータ・シンボルとそれに対応する重複データ・シンボルを隔てる時間に相当するシンボル数またはタイム・スロット数として指定可能である。上記ダイバーシチ・レベルはまた、符号または放射パターンなどのその他のいずれかのリソースにも対応して指定可能である。
【００４０】
本発明のある実施形態によれば、シンボルの上記ブロックは、上記複数のグループの一つに属する元のデータ・シンボルの第１の部分と同じ物理的リソース・ブロックにマッピングされる少なくとも一つの制御シンボルをさらに含んでなる。しかし、シンボルの上記ブロックは、例えば、データ・シンボルのみを含んでもよく、上記制御ブロックは別の方法で伝送されてもよく、または制御シンボルを全く伝送する必要のない場合もある。上記の具体的な構成は、使用される移動通信システムに合わせて変わり得る。上記移動通信システムは、標準化されたシステムの一つ、標準化されたシステムの一つから進化したシステム、今後標準化されるであろう新しいシステム、またはいずれかの独自の移動通信システムであり得る。
【００４１】
シンボルの上記ブロックは、上記少なくとも一つの制御シンボルに加えて、またはそれに代えて、その値が受信器で判定され、チャネル特性の評価に役立つ少なくとも一つの参照信号（パイロット信号またはパイロット・シンボルとしても知られる）を含み得る。上記参照信号の分布は、標準によって指定されることも、またはシグナリングされることもある。
【００４２】
好ましくは、上記複数のグループの一つの中のデータ・シンボルの数は、制御シンボルの数に応じて決められ、この場合に、制御シンボルは一つまたは複数であり得る。特に、物理的リソース・ブロックの一つは、マッピングされた制御シンボル及び／または参照信号と、上記複数のグループの前記一つに属する、マッピングされた元のデータ・シンボルの第１の部分からなり得る。これによれば、上記複数のグループの一つの中のデータ・シンボルの数、つまり、そのグループの大きさは、制御シンボルがすでにそこにマッピングされた状態及び／または参照信号がその物理的リソース・ブロック内の所定の位置に置かれている状態で、その物理的リソース・ブロック内に入れることができる元のデータ・シンボルの数の２倍として求めることができる。代替的に、上記複数のグループの一つの中のデータ・シンボルの数は、制御シンボル及び／またはパイロット・シンボルの数のいずれかの他の関数として求めることができる。
【００４３】
好ましくは、第２の物理的リソース・ブロック内へマッピングされた第２の部分の重複データ・シンボルは、第１の物理的リソース・ブロック内へマッピングされた、それに対応する第１の部分の元のデータ・シンボルと同じように配列される。これは、物理的リソース・ブロックへのマッピング後に、同一のグループに属する元のデータ・シンボルと重複データ・シンボル間の同一のダイバーシチ値を確実にする。
【００４４】
これに加えて、または代替的に、第２の物理的リソース・ブロックの中の重複データ・シンボルは、第１の物理的リソース・ブロック内の元のデータ・シンボルと一致する、第２の物理的リソース・ブロック内の同じ位置から開始する。ここで同じ位置とは、リソース・ブロック内の位置、すなわち、時間領域及び周波数領域における位置を言う。
【００４５】
本発明のある実施形態によると、各グループの各部分は異なる物理的リソース・ブロック内へマッピングされる。好ましくは、グループの数は、送信に割り当てられた物理的リソース・ブロックの数に応じて決められる。具体的には、グループの数は、割り当てられた物理的リソース・ブロックの半分＋１以下である。
【００４６】
好ましくは、上記無線チャネルは、直交周波数分割多重（ＯＦＤＭ）を使用する。特に、物理的リソース・ブロックは、タイム・スロットと所定の数のサブキャリアによって定義される。ＯＦＤＭを使用する移動通信システムの一つに、３ＧＰＰロングタームエボリューション（ＬＴＥ）システムがある。具体的に、上記無線チャネルは、ＬＴＥ標準で定義された、例えば、ダウンリンク共有チャネルである。ＬＴＥシステムにとって、本発明は非常に有益である。特に、本発明による送信器は、ＯＦＤＭ技術に基づいてデータを処理し送信することができる無線送信ユニットを具備可能である。上記無線送信ユニットは、３ＧＰＰ ＬＴＥなどの標準化された移動通信システムに準拠してデータを処理し送信することに適合できる。同様に、本発明による受信器は、ＯＦＤＭ技術に基づいてデータを受信し処理することができる無線受信ユニットを具備可能である。この無線受信ユニットは、例えば、３ＧＰＰ ＬＴＥなどの標準化された移動通信システムに準拠して動作できる。
【００４７】
好ましくは、第１のグループの第１の部分と第２の部分は、異なるタイム・スロットにマッピングされる。これは、元のシンボルとそれに対応する重複シンボルが、それらがマッピングされるスロット間のギャップに相応した、及びリソース・ブロック内のそれらの配列に相応した時間領域のダイバーシチを得ることを確実にする。
【００４８】
さらに、上記複数のグループのうちの残りのグループ（第１のグループ以外）の第１の部分と第２の部分は同一のタイム・スロットにマッピングされる。
【００４９】
仮想リソース・ブロックの諸ペアを物理的リソース・ブロックの諸ペアに分散化マッピングすることが適用されるとき、本発明は特に有利である。これによれば、仮想リソース・ブロックの各ペアは、第１のタイム・スロット中の第１の仮想リソース・ブロックと第２のタイム・スロット中の第２の仮想リソース・ブロックを含む。さらに、仮想リソース・ブロックの各ペアは周波数領域において共通のインデックス付けによってアドレス指定される。第１の仮想リソース・ブロックは第１の物理的リソース・ブロックにマッピングされ、第２の仮想リソース・ブロックは第２の物理的リソース・ブロックにマッピングされる。第１及び第２の物理的リソース・ブロックは、それらの周波数が所定の周波数ギャップの間隔をとり離されていて、異なるタイム・スロットにマッピングされる。仮想リソース・ブロックのペアがマッピングされる物理的リソース・ブロックの位置は、標準によって予め定義され得る。このような分散化マッピングは、例えば、ＬＴＥシステムにて合致される。
【００５０】
仮想リソース・ブロックの諸ペアを物理的リソース・ブロックの諸ペアに分散化マッピングする方式を使用するシステムでは、分散化マッピング後に、グループの二つの部分が異なる物理的リソース・ブロックにマッピングされ、元のシンボルとそれに対応する重複シンボル間のダイバーシチの所望のレベルが満たされるように、各グループは、最初に仮想リソース・ブロックにマッピングされることが可能である。
【００５１】
具体的には、第１のグループの元のデータ・シンボルの第１の部分は、第１の仮想リソース・ブロック・ペアの第１の仮想リソース・ブロック内へマッピングされる。第１のグループの重複データ・シンボルの第２の部分は、上記仮想リソース・ブロック・ペアの第２の仮想リソース・ブロック内へマッピングされる。したがって、上記仮想リソース・ペアの第１のタイム・スロットは元のデータを含み、上記仮想リソース・ペアの第２のタイム・スロットは対応する重複データを含む。物理的リソース・ブロックへの分散化マッピング適用後には、上記仮想リソース・ペアの二つのタイム・スロットは、所定の周波数ギャップだけ離された二つの物理的リソース・ブロックにマッピングされる。
【００５２】
これに加えて、または代替的に、第２のグループの元のデータ・シンボルの第１の部分は、第１の仮想リソース・ブロック・ペアの第２の仮想リソース・ブロック内へマッピングされ、第２のグループの重複データ・シンボルの第２の部分は、第２の仮想リソース・ブロック・ペアの第２の仮想リソース・ブロック内へマッピングされる。この構成では、第１のグループ以外のグループは、全体としては、仮想リソース・ブロック・ペアの第２のタイム・スロットにマッピングされる。好ましくは、上記の二つの仮想ブロック・ペアは、分散化マッピング後に、各ペアの第２の仮想ブロックが所定の周波数ギャップだけ離された物理的リソース・ブロックにマッピングするように選択される。
【００５３】
さらに、第３のグループの元のデータ・シンボルの第１の部分は、第２のグループの元のデータ・シンボルの第１の部分と同じ第２の仮想リソース・ブロック内にマッピングされる。このようにして、第２の仮想リソース・ブロックは、場合により分割されることもある元のデータ・シンボルの第１の部分を含む。
【００５４】
好ましくは、第１のグループ以外のグループの重複データ・シンボルの第２の部分は、前記グループの元のデータ・シンボルの第１の部分と同じＯＦＤＭシンボル列内にマッピングされる。代替的に、第１のグループ以外のグループの重複データ・シンボルの第２の部分は、前記グループの元のデータ・シンボルの第１の部分がマッピングされるＯＦＤＭシンボルのセットとは異なるＯＦＤＭシンボルのセット内にマッピングされる。この構成は、第２の仮想リソース・ブロック内での、分散化マッピングの結果として対応する物理的リソース・ブロック内でも、元のデータ・シンボルと重複データ・シンボルの時間ダイバーシチの増加を確実にする。
【００５５】
本発明の別の態様によれば、コンピュータにより読取り可能なプログラム・コードが収められたコンピュータにより読取り可能な媒体を含んでなるコンピュータ・プログラム製品が提供され、上記プログラム・コードは本発明のいずれかの実施形態を実行するように適合される。
【００５６】
本発明の上記及びその他の目的と特徴は、添付の図面と併せて以下に説明する好適な実施形態からさらに明らかになるであろう。
【図面の簡単な説明】
【００５７】
【図１】ＬＴＥシステムにおけるダウンリンクのベースバンド処理を示すブロック図である。
【図２】ＬＴＥシステムで用いる無線通信フレーム構成を示す図である。
【図３】ＬＴＥで用いる、時間−周波数グリッドで表現した物理的リソースを示す図である。
【図４Ａ】１個のアンテナ・ポートについてのＬＴＥの時間−周波数グリッド内のダウンリンク参照信号の分布を表した例の概略図である。
【図４Ｂ】２個のアンテナ・ポートについてのＬＴＥの時間−周波数グリッド内のダウンリンク参照信号の分布を表した例の概略図である。
【図４Ｃ】４個のアンテナ・ポートについてのＬＴＥの時間−周波数グリッド内のダウンリンク参照信号の分布を表した例の概略図である。
【図５】分散化送信モードの場合の仮想リソース・ブロックと物理的リソース・ブロックの間のマッピングを示す図である。
【図６】反復重複のある変調シンボルを物理的リソース・ブロックへマッピングする最新技術による方式を示す概略図である。
【図７】重複シンボルを物理的リソース・ブロックへマッピングする際の時間ダイバーシチと周波数ダイバーシチを示すブロック図である。
【図８Ａ】本発明による複数のシンボル領域を形成することを示す概略図である。
【図８Ｂ】本発明の実施形態による、混合領域のインタリービングと複数のグループの形成を示す概略図である。
【図９】本発明の実施形態による、仮想リソース・ブロックを物理的リソース・ブロックにマッピングする方式を示す概略図である。
【図１０Ａ】第１の領域を仮想リソース・ブロックの二つのタイム・スロットにマッピングすることを示す第１の例の概略図である。
【図１０Ｂ】第１の領域を仮想リソース・ブロックの二つのタイム・スロットにマッピングすることを示す第２の例の概略図である。
【図１１】第３の領域グループの同一部分を異なるタイム・スロットの異なる仮想リソース・ブロックのペアにマッピングすることを示す例の概略図である。
【図１２】各グループの各部分が異なる物理的リソース・ブロックにマッピングされる、本発明による仮想リソース・ブロックを物理的リソース・ブロックへマッピングする方式を示す詳細図である。
【図１３】所望の周波数ダイバーシチの達成度の点で、最新技術に比較して本発明の有益性を示すグラフである。
【図１４】第３の領域を分割してマッピングすることを示す概略図である。
【図１５】グループが第２の仮想リソース・ブロック内では異なる時間位置にマッピングされる、第３の領域を分割してマッピングすることを示す概略図である。
【図１６】制御シンボルの代替的なマッピングを示す概略図である。
【図１７】本発明によるシンボル並び替えの実現を示す概略図である。
【図１８】本発明による送信器と受信器を示すブロック図である。
【図１９】３ＧＰＰ ＬＴＥアーキテクチャを示す概略図である。
【発明を実施するための形態】
【００５８】
本発明は、移動通信システムを介した反復重複のあるデータ・シンボルの送受信において、元のデータ・シンボルと元のデータ・シンボルに対応する重複データ・シンボルの間の所望のダイバーシチ・レベルを満たす効率的な方法による送受信に関係する。
【００５９】
本発明は、例えば、前述のＬＴＥ通信システムなどの移動通信システムに関連して有利に用いることができる。しかし、本発明の用途は、この特定の例示的な通信ネットワークに限定されない。いずれかの標準化された移動通信システム、標準化された移動通信のいずれかの進化したバージョン、今後標準化されるであろういずれかの将来の移動通信システム、またはいずれかの独自の移動通信システムを介して反復重複のあるデータ・シンボルを送信及び／または受信するために本発明は有益であると言える。
【００６０】
ＬＴＥ特有の手順の記述は、本文書に説明するＬＴＥの特徴を生かした例示的な実施形態をよりよく理解してもらうためのものであり、移動通信ネットワークにおけるプロセス及び機能のここで述べた特定の実現に本発明を限定するものと解釈すべきではない。同様に、ＬＴＥ特有の用語の使用は、本発明の主要な概念と特徴の説明を容易にするために使用しているのであり、ＬＴＥシステムに本発明を限定するものと解釈すべきではない。
【００６１】
物理的リソースにマッピングした後の対応する元のデータ・シンボルと重複データ・シンボル間のダイバーシチ・レベルは、元のデータ・シンボルを運ぶリソースと元のデータ・シンボルに対応する重複データ・シンボルを運ぶリソースの間の距離を反映する。第１のリソースにおけるチャネルの品質が低く、そのため元のデータ・シンボルがうまく復元できない場合、重複データ・シンボルが独立したリソースにマッピングされていれば、重複データ・シンボルを復元できる。前記距離は、移動通信システム中の無線チャネルのリソース間の間隔として定義される。例えば、図５に示したように、この距離は、無線チャネルのリソースを異なる周波数サブバンド中に指定する移動通信システム中の周波数ギャップに相当し得る。図７は、例えば、ＯＦＤＭシステムなど、時間と周波数によって指定されているリソースをもつシステムにおける周波数ダイバーシチと時間ダイバーシチを概略的に示す。一般に、無相関なチャネルでは、図示のとおり、元のシンボルと重複シンボルが異なる周波数にマッピングされるとき、周波数ダイバーシチ・ゲインが達成され得る。
【００６２】
これによれば、反復重複のあるデータ・シンボルの変調７１０の後、元のシンボル７０１のブロックとそれに対応する重複シンボル７０２のブロックが、異なる時間スロットＴＳ０及びＴＳ１と異なる周波数にマッピングされる（７００）。このようにして、元のデータ・シンボルとそれに対応する重複データ・シンボル間の時間ダイバーシチと周波数ダイバーシチの両方が得られる。マッピング終了後に、高速逆フーリエ変換（ＩＦＦＴ）を適用することによってＯＦＤＭシンボルが作られる（７５０）。時間ダイバーシチは、例えば、タイム・スロット数単位の距離として測定可能である。タイム・スロットがより多数のＯＦＤＭシンボルを含む場合には、時間ダイバーシチは、より細かい尺度、例えば、ＯＦＤＭシンボル数単位で測定することもできる。代替的に、異なる拡散符号を使用するシステムでは、元のデータ・シンボルとそれに対応する重複データ・シンボルを異なる符号にマッピングすることによって、物理的リソースを分離するように符号ダイバーシチを得ることができる。同様に、空間多重化をサポートするシステムでは、元のデータ・シンボルとそれに対応する重複データ・シンボルを送信するために、異なるアンテナ放射パターンを使用できる。ダイバーシチのレベルは、したがって、単一のリソース領域（例えば、時間、周波数、符号、空間）に関するダイバーシチ、または複数の領域（時間−周波数、時間−符号、時間−周波数−符号、または可能なリソース領域のその他のいずれかの組み合わせ）を含むリソース空間に関するダイバーシチを定義し得る。
【００６３】
ダイバーシチの所望のレベルは、例えば、移動通信システムの標準内に含まれたシステム・パラメータとして、または設計パラメータとして、予め定義されるか、及び／またはシステム・コンフィギュレーションに応じて定義され、上記レベルは固定的であっても、可変的であってもよく、場合により、シグナリングされ得る。上記レベルは、元のシンボルとそれに対応する重複シンボルがそこにマッピングされるリソース間の所望の距離の値として直接的に定義できる。この値は、 例えば、物理的単位で、またはリソース数またはリソースの個別部分の数として与えることができる。ダイバーシチの所定のレベルの値としては、例えば、元のシンボルとそれに対応する重複シンボルの各ペアが達しなければならない距離、または平均値、またはパーセント値、または特に選択されたデータ・シンボル個別の値、等があり得る。
【００６４】
分散化仮想リソース・ブロックを物理的リソース・ブロックへマッピングする際のＬＴＥのマッピング規則に従って、反復重複のあるシンボルがマッピングされた場合に、反復重複のあるシンボルについてのダイバーシチのレベルが低下するとう問題は、図６を参照してすでに説明した。図９は、本発明の実施形態によると、この問題をどのよう解決できるかを示す。
【００６５】
図８Ａは、本発明の大まかな手法を図示する。最初に、データ・シンボル６１０、６２０を３つの領域８１０、８２０、及び８３０に分けることが行なわれる。第１の領域８１０と第２の領域８２０は、第１のグループ８００を形成する。グループ８００の第１の部分は、元のデータ・シンボルを含む第１の領域８１０に相当する。グループ８００の第２の部分は、重複データ・シンボルを含む第２の領域８２０に相当する。第２の部分中の各重複データ・シンボルは、第１の部分中の元のデータ・シンボルに一致する。第３の領域８３０は、元のデータ・シンボルとそれに対応する重複データ・シンボルの両方を含んでなり、単一グループを形成でき、または複数のグループ８４０に細分化され得る。細分化された場合、図８Ｂに示すように、各グループは、元のデータ・シンボルの第１の部分８４１と重複データ・シンボルの第２の部分８４２を含む。各グループ中で、第２の部分の重複データ・シンボル８４２は、第１の部分の元のデータ・シンボル８４１に対応する。第３の領域中の妥当な／可能なグループ数は、割り当てられたＰＲＢｓの数に依存する。各グループの大きさは、グループがそこにマッピングされるリソースの制御オーバヘッドとパイロット・シンボル構成に依存する。
【００６６】
データ・シンボルのこれらのグループは、次に、物理的リソース・ブロックにマッピングされる。ここで、同じグループに属する元のデータ・シンボルの第１の部分と重複データ・シンボルの第２の部分は、異なるリソース・ブロックにマッピングされる。
【００６７】
ダイバーシチの所定のレベルを満たすように、対応する元のデータ・シンボルと重複データ・シンボルを異なる物理的リソース・ブロックにマッピングすることは有利である。
【００６８】
本発明による可能なマッピング手法を図９に示す。このマッピング手法は、ＬＴＥの分散化モードでＶＲＢをＰＲＢｓへマッピングすることも考慮できるようにして、その規則を順守する。
【００６９】
図９では、物理的リソースにマッピングされるべきシンボルのブロックは、制御シンボル９１０も含む。本発明の実施形態によれば、各仮想リソース・ブロックは制御シンボルを含む制御シンボル領域９１０から始まる。この例の場合では、制御シンボルは、各リソース・ブロック（仮想と物理的の両方）内の先頭の数個のＯＦＤＭシンボルにマッピングされる。本図は、上記３つの領域を仮想リソース・ブロックのペアにマッピングすることを示す。第１のグループは、第１及び第２の領域によって形成される。第３の領域は、ここでは、二つの他のグループ、第２のグループと第３のグループを含んでなる。各仮想リソース・ブロック中では、制御シンボル９１０の後に、第１のグループの元のデータ・シンボルの第１の部分９２０〜９５０を含んでなる第１の領域８１０が続く。次に、第２もしくは第３のグループの元のデータ・シンボルの第１の部分９２３、９３３または第２もしくは第３のグループの重複データ・シンボルの第２の部分９４３、９５３のどちらかを含む第３の領域８３０の一部が続く。最後に、第１のグループの重複データ・シンボルの第２の部分 ９２１、９３１、９４１、９５１を含む第２の領域８２０が続く。
【００７０】
仮想リソース・ブロックを物理的リソース・ブロックへマッピングする最新技術に従った分散化マッピング適用後、仮想リソース・ブロックへの上記マッピングは、従来技術のマッピング方式に比べてダイバーシチの増加をもたらす。所望のダイバーシチ（ここでは、１２個分の周波数ギャップで指定された）も、割り当てたリソース数に応じて、元のシンボルとそれに対応する重複シンボルのすべてのペアで満たすことができる。
【００７１】
参照信号９０１は、各仮想リソース・ブロックとそれに対応する物理的リソース・ブロック中の所定のグリッドに挿入される。図９からわかるとおり、上記のグループのマッピングによれば、 元のデータ・シンボル部分と重複データ・シンボル部分の各々の中でパイロットが均等に分散される。一方、図６に示した最新技術のマッピングではこうならない。
【００７２】
第１の領域と第２の領域は共に変調シンボルの大多数を占め、第３の領域は変調シンボルの残りの少数を占める。
【００７３】
３つの領域の設計は、これらの領域の内容と各領域の大きさを定義することを含んでなり、各領域の大きさは、制御オーバヘッドと割り当てられた物理的リソース・ブロック数及び／または参照信号の数と分布に依存する。
【００７４】
３つの領域が設計された後、これらの領域は仮想リソース・ブロック・レベルでさらにマッピングされる。仮想リソース・ブロック内の３つの領域の位置は、次に、ＬＴＥシステムのコンテクストでは第１のタイム・スロット中にマッピングされる、制御シンボルの位置に依存する。
【００７５】
本発明によって提供される、３つの領域の設計とマッピング規則に基づくと、分散化仮想リソース・ブロックを物理的リソース・ブロックにマッピングするＬＴＥの特有のやり方に基づいて物理的リソース・ブロックにマッピングされたとき、元のデータ・シンボルとそれに対応する重複データ・シンボルはダイバーシチを高める。
【００７６】
ここで、反復重複のあるデータ・シンボルのマッピングに利用可能なリソース要素の非対称の問題が、二つの仮想リソース・ブロックのペアの第１のブロックとそれに対応する物理的リソース・ブロックのペアの第１のブロックだけに挿入される制御シンボルによって生じていた。総じて、本発明は、その理由にかかわらず、このような非対称となるいかなる場合にも有利に適用可能である。
【００７７】
ここで、データ・シンボルとは、一つ以上のビットからなり得る、予め定義された変調コンステレーションの点にマッピングされるデータ・シンボルのことを言う。マッピングされるべきデータ・シンボルは、例えば、そのままのユーザ・データ、符号化された及び／またはスクランブル処理されたユーザ・データであり得る。
【００７８】
一例として、ＬＴＥは、ダウンリンクでは、２ビットのデータ・シンボルを単一のコンステレーション点にマッピングするＱＰＳＫ変調を使用できる。これに相応して、例えば、２０個のデータ・ビットは、１０個のＱＰＳＫ変調シンボルを結果的に生み出す。同じ量のデータ・ビット、すなわち２０個が、代替的に１６−ＱＡＭ変調でマッピングされてもよい。この場合は、４ビットのデータ・シンボルが、複素数であるコンステレーション点にマッピングされる。２０個のデータ・ビットのこのような変調の結果として、複素値によって表現される５個の変調シンボルが得られる。同一のまたは異なる変調コンステレーションに重複データ・シンボルを追加マッピングする、次数２の繰返しを適用できる。このようにして、別の５個の１６−ＱＡＭ変調シンボルが得られ、これらは同一物であり得るが、必ずしも同一物であるとは限らない。これは、元のデータ・シンボルと重複データ・シンボルのマッピングのための変調コンステレーションの選択に依存する。ここでは、各重複データ・シンボルは、元のデータ・シンボルと対応する。本実施例においては、重複データ・シンボルとそれに対応する元のデータ・シンボルは同一である。しかし、重複シンボルは、元のデータ・シンボルのパリティ・ビット演算またはその他の種類の変換など、元のデータ・シンボルに対して特定の関数を使用することによって求められてもよい。
【００７９】
反復重複のあるＱＰＳＫと１６−ＱＡＭの上記のどちらの場合にも、符号率のみならず送信される情報ビットの数と内容は同じである。顕著な電力制御がなく、時間−周波数ダイバーシチ方式がない、きわめて無相関なチャネルにおいては、１６−ＱＡＭを使用するシナリオは、ＱＰＳＫを使用するシナリオよりも性能が良い。強度なフェージングを伴うチャネルにおいてＱＰＳＫ変調が使用されるとすれば、システムはエラー訂正符号にのみ頼らざるを得ない。反復重複のある１６−ＱＡＭを使用するシナリオでは、同じシンボルが繰り返されるので、元のシンボルと重複シンボルの両方が同時に強度なフェージングを受ける可能性は、ＱＰＳＫの場合の変調シンボルがフェージングの影響を受ける可能性よりも低い。
【００８０】
したがって、反復重複のある変調マッピングを利用することによって、ダイバーシチ向上が達成可能になり、ひいてはスペクトル効率を向上させる。達成されるダイバーシチのレベルは、物理的リソースへの元のデータ・シンボルと重複データ・シンボルのマッピングに依存する。
【００８１】
本発明は、反復重複のあるデータ・シンボルに向いたリソース・マッピングに対応する。本実施例では繰返し次数２として説明されているとしても、他の繰返し次数も適用可能である。前述したとおり、最新技術のＬＴＥのリソース・マッピング方式は、シンボル繰返しのない場合には所望のダイバーシチを達成する。しかし、反復重複のある変調シンボルがこのマッピングによりリソースにマッピングされるときには、図６に示したように、すべての変調シンボルのペアが、どれも所望の周波数ギャップを達するわけにはいかなくなる。この規定のマッピングによると、物理的リソース・ブロックのペアの第１のスロットは、元のデータ・シンボルの第１の部分のみを含む。次に、物理的リソース・ブロックの第２のタイム・スロットは、マッピングされた元のシンボルと重複シンボルの両方を含む。従来技術のリソース・マッピング規則において、元のシンボルと重複シンボル間の所望の周波数ギャップを達する度合いは、割当てサイズに依存する。前述したとおり、割当てサイズが増加するにつれて、周波数ダイバーシチは低下する。
【００８２】
これらの問題は本発明によって解決される。第１のグループに属するすべての重複シンボルと元のシンボルは、異なる周波数リソースにマッピングされる。本発明は、分散化送信向けのシステム特有のＶＲＢマッピング規則において、第３の領域に相当する、残りのグループに属する元のデータ・シンボルと受信データ・シンボルについても、元のシンボルと重複シンボル間の所望の周波数ギャップを達成する。このようにして、シンボル繰返しの利点を生かすことができ、その結果、（ほとんど）すべての変調シンボルが、分散化送信の主要目的である周波数ダイバーシチを達する（超越する）ことになる。すべての変調シンボルについての周波数ギャップを満たすか否かは、送信に割り当てられたＶＲＢ数／ＰＲＢ数にも依存する。本発明によるマッピングは、しかし、最新技術よりも優れた成果をあげる。したがって、ＢＬＥＲとしての性能もまた向上される。
【００８３】
３つの領域は、いろいろなやり方で設計可能である。第１の領域は、元のデータ・シンボルのみを含むことができる。第１の領域の大きさは、第１のスロット中の制御ＯＦＤＭシンボル数に依存し、さらに、割り当てられた物理的リソース・ブロックのサイズと量にも依存する。第２の領域は、第１の領域中の元のシンボルに対応する重複シンボルのみを含む。第２の領域中の重複シンボルの配列は、好ましくは、第１の領域中の対応する元のシンボルの配列と同じである。これは、第１の領域中の各（変調後の）データ・シンボルと第２の領域中のそれに対応する（変調後の）データ・シンボルが所望のダイバーシチを達する上で効率的なマッピングを確実にする。第３の領域８３０は、残りの元のシンボルと重複シンボルを含み、これらのシンボルはさらに特別な方式で配列される。図９において、インタリーブ・プール（６個のグループが図８Ｂに８４０として示される）は、元のシンボルの２ブロックと対応する重複シンボルの２ブロックからなり、２つのグループを形成する。第３の領域中のグループ／ブロックの数は、割り当てられたＰＲＢｓの数に依存する。上記グループの各グループ／ブロックの大きさは、制御オーバヘッドとパイロット・シンボル９０１の構成に依存する。インタリービングは、第３の領域中の元のデータ・シンボルと重複データ・シンボルが、あらゆるシナリオにおいて、ＬＴＥリリース８におけるＶＲＢからＰＲＢへのマッピングの際の周波数ギャップを常に達することを確実にする。本実施例では、所望の周波数ギャップは１２である。
【００８４】
３つの領域を設計後、これらの領域は物理的リソースにマッピングされる。第１の領域は、ＰＲＢペアのうちの第１のタイム・スロットにマッピングされる。第２の領域は、第２のタイム・スロットにマッピングされ、このとき、第２の領域のＯＦＤＭシンボルの開始位置が第１のタイム・スロット中における第１の領域の位置と一致する。この規則により、 第１の領域中のすべての変調シンボルと第２の領域中のすべての変調シンボルは、所望の周波数ダイバーシチを達する。さらに加えて、ＯＦＤＭシンボル７個分の時間ダイバーシチが、元のデータ・シンボルとそれに対応する（変調後の）重複データ・シンボルについて達成される。
【００８５】
一般的には、第１及び第２の領域のマッピングは入れ替えることもできる。つまり、第１の領域を第２のタイム・スロットにマッピングしてもよく、第２の領域を第１のタイム・スロットにマッピングしてもよい。その場合も、好ましくは、物理的リソース・ブロック内の第１及び第２の領域のシンボルの位置は一致する。
【００８６】
本実施例における本発明によるマッピングの別の利点は、あらゆるシナリオにおいて（例えば、マルチアンテナ送信、通常のまたは拡張サイクリック・プレフィックスの使用など）、第１及び第２の領域でパイロット構成と個々のリソース要素が同一であることである。
【００８７】
第２の領域中の各重複データ・シンボルは、第１の領域中のそれに対応する元のデータ・シンボルと同じ順番でマッピングされる。これは、ＬＴＥ向けに定義されたすべてのシステム帯域幅について、周波数ダイバーシチを確保する。これはまた、第１及び第２の領域中のすべての変調シンボルについて周波数ダイバーシチを確保する。これについて、図１０及び図１１に示すように、標準的なマッピングが使用されるとすれば、第１及び第２の領域が同じスロットにまたは異なるＶＲＢペアにマッピングされると、その結果、異なるＰＲＢペアの同じタイム・スロットへのマッピングとなり、上記のような周波数ダイバーシチの確保は不可能である。図１０Ａでは、元のシンボルと重複シンボル１０１１と１０２１の間でも、元のシンボルと重複シンボル１０１２と１０２２の間でも、所望のダイバーシチが得られていない。図１０Ｂでは、元のシンボルと重複シンボル１０５２と１０６２の間で、所望のダイバーシチが得られていない。図１１では、元のシンボルと重複シンボル１１１２と１１２２の間で、所望のダイバーシチが得られていない。
【００８８】
第３の領域３は、第２のタイム・スロットにマッピングされる。図９に示すような、第３の領域中のデータ・シンボルのグループ／ブロックのインタリービングは、二つの仮想リソース・ブロックに対して元のシンボルのブロックと重複シンボルのブロックの間に（すなわち、各グループの第１及び第２の部分の間に）間隔を入れることになる。これは、ＬＴＥの分散化送信モードに合致したＶＲＢからＰＲＢへのマッピングを使用して物理的リソース・ブロックにマッピングされた際に、第３の領域中の元のシンボルと重複シンボル間の周波数ギャップを保証する。もし第３の領域がインタリーブされなければ、ダイバーシチを達すシンボル・ペアの数はわずかになる。
【００８９】
図１２に、提案の方式のマッピングの別の例をより詳細に示す。これによれば、各グループの各部分は異なる物理的リソース・ブロックにマッピングされる。同一グループに属するそれぞれの部分の配列が一致していることがわかる。
【００９０】
図１３には、ＬＴＥシステムにおける周波数ギャップの達成度という点での従来技術と本発明によるマッピングとの比較を示す。この場合では、１２の所望の周波数ギャップを達する対応する元のシンボルと重複シンボルのペア数の比率（％）によって周波数ギャップの達成度を示す。ＰＲＢ割り当てサイズは、割り当てられたＰＲＢペアの数を示す。
【００９１】
図１４に示すように、第３の領域は、代替的に、第２のタイム・スロット内で分割されマッピングされ得る。この図では、同一グループを形成し、第３の領域に属する対応する元のデータ・シンボルと重複データ・シンボルは同じ番号をもつ（例えば、５、６、７、８）。重複データ・シンボルは斜線によって識別される。これによれば、第２の領域のデータ・シンボルは、第２のタイム・スロット内に、第１のタイム・スロット内の第１の領域のデータ・シンボルの位置とは異なる位置にマッピングされる。次に、第３の領域は、すべての３つの領域の所有物を変えないように、 残りのＯＦＤＭシンボルに分割した形でマッピングされ得る。これもまた、第３の領域における元のシンボルと重複シンボルについての時間ダイバーシチを向上させる。
【００９２】
ＰＲＢ割当てサイズと制御ＯＦＤＭシンボル数に応じて、第３の領域のインタリービングは、図１５に示すように、分割して使用される場合、多少修正され得る。けれども、ＬＴＥによるマッピングが使用されるとすれば、二つのＶＲＢに対して元のシンボルと重複シンボルの間に間隔をあけることは維持される。
【００９３】
図１６に示すように、第１のタイム・スロット内の制御シンボルが時間分割多重化される場合、第３の領域は制御シンボルの構成と同様の構成をもつものとし、したがって、提案の方式のマッピングは、そのような構成も生じさせる。したがって、３つの領域のすべての所有物は保持される。
【００９４】
重要なＬＴＥの特徴の一つは、物理的リソース・ブロックをシステム帯域幅の半分の距離に当たる間隔で飛び飛ぶに分離することである。これは、５ ＭＨｚのシステムの場合には、１２個の物理的リソース・ブロックに相当する。本発明は、反復重複のあるデータ・シンボルについて周波数ダイバーシチを最大化する。言い換えれば、元のデータ・シンボルと重複データ・シンボルが同一のＶＲＢペアにマッピングされて、飛び飛びにされる／分散されるとき、最大の所望のダイバーシチが達成される。
【００９５】
それぞれのグループを形成することに相当する３つの領域の設計は、図１７に示すような変調シンボルの単純な並べ替えによって達成（実現）され得る。このような単純な実現は、本発明のこのような実施形態において動作する対応する送信器と受信器の複雑さを増加させないため有益である。
【００９６】
図１８に、本発明による送信器１８０１と受信器１８０２のブロック図を示す。最新技術のリソース・ブロック・マッピング７００は、本発明によれば、データ・シンボルをグループに分けることを行なうためのグループ化ユニット１８１０と、上記グループを物理的リソース・ブロックにマッピングすることを行なうためのリソース・マッパー１８２０に置き換えられる。本発明の実施形態によれば、グループ化ユニットとリソース・マッパーのほかに、送信器は、使用される無線送信技術に従ってデータを処理し送信するための無線送信ユニットをさらに具備できる。この無線送信ユニットは、例えば、データを符号化するための符号器、スクランブラー、変調器、ＭＩＭＯ処理ユニット、及び信号発生器をさらに含む。送信器は、背景技術の節で説明したような、３ＧＰＰ ＬＴＥなどの標準に準拠した機能を実行するようにさらに適合され得る。
【００９７】
本発明による受信器１８０２は、異なる物理的リソース・ブロックから元のデータ・シンボル及び／または重複データ・シンボルの部分に属するデータ・シンボルをデマッピングするためリソース・デマッパー１８０３を具備する。受信器１８０２は、元のデータ・シンボルと重複データ・シンボルの対応する部分からグループを形成するためのグループ化ユニット１８４０をさらに具備する。さらに、対応する元のデータ・シンボルと重複データ・シンボルの部分を元のデータ・シンボルと重複データ・シンボルに再編成するための再編成ユニット１８５０が具備される。受信器は、使用される無線技術に従って信号を受信し処理することができる無線受信ユニットをさらに具備できる。無線受信ユニットは、例えば、信号サンプラー、 ＭＩＭＯ処理、復調器、デスクランバー、復号器等をさらに含む。本発明の別に実施形態による受信器は、３ＧＰＰ ＬＴＥなどの標準に準拠し、したがって、背景技術の節で説明したような、ＬＴＥ移動通信システム内で送信されたデータの受信に必要な処理を実行可能である。
【００９８】
本発明のさらに別の実施形態によれば、送信器はノードＢであり、受信器は移動端末、ＰＣカード、またはＰＤＡのうちの一つである。これらは、送信器と受信器の例にすぎないことに留意すべきである。一般的には、移動端末、ＰＣカード、またはＰＤＡが受信器であり得るとともにノードＢが送信器であり得るが、移動通信システム中に含まれた他のエンティティが本発明による受信器及び／または送信器を実現可能である。本発明による装置は、本発明のいずれかの実施形態による送信器と受信器の両方の部分を具備することもできる。
【００９９】
ＬＴＥリリース８に指定されたとおりにリソース要素にマッピングされたときに、並び替えられた変調シンボルは、ＦＤＤシステムとＴＤＤシステム、単一アンテナとＭＩＭＯ送信、通常のサイクリック・プレフィックスと拡張サイクリック・プレフィックス等といった異なるシステム・コンフィギュレーション（シナリオ）におけるマッピング規則を満足するものとする。
【０１００】
最初に周波数領域に沿って、次に時間領域に沿って変調シンボルを埋める場合を上記の例では説明した。しかし、本発明は、変調シンボルが最初に時間領域に沿って、次に周波数領域に沿って埋められる（シンボルを埋めてゆく順番が第１の列、次に第２の列へと進む、列は一つのサブキャリアにおける異なるＯＦＤＭシンボルの部分に相当する）場合にも適用可能であり、同じ有益性を実現する。
【０１０１】
第１のタイム・スロット中の制御シンボルの数は変わり得る。それに応じて３つの領域は、前述のとおり設計され得る。
【０１０２】
変調されたデータ・シンボルの適当なインタリービングが適用されるならば、ＬＴＥの標準的なリソース・ブロック・マッピング機能を再使用することも可能である。
【０１０３】
本発明の別の実施形態は、ハードウェア及びソフトウェアを使用した、上述した様々な実施形態の実現に関係する。本発明の多様な実施形態は、コンピューティング・デバイス（プロセッサ）を使用して実現または実施され得ることが認識される。コンピューティング・デバイスまたはプロセッサは、例えば、汎用プロセッサ、デジタル・シグナル・プロセッサ（ＤＳＰ）、特定用途向け集積回路（ＡＳＩＣ）、フィールド・プログラマブル・ゲート・アレイ（ＦＰＧＡ）またはその他のプログラム可能な論理デバイス等であり得る。本発明の多様な実施形態は、上記のデバイスの組合せによって実施または実現されてもよい。
【０１０４】
さらに、本発明の多様な実施形態は、プロセッサで実行されるまたは直接ハードウェアに組み込むソフトウェア・モジュールを用いても実現可能である。また、ソフトウェア・モジュールとハードウェア実装の組合せも可能である。ソフトウェア・モジュールは、コンピュータで読取り可能などんな種類の記憶媒体3/4例えば、ＲＡＭ、ＥＰＲＯＭ、ＥＥＰＲＯＭ、フラッシュ・メモリ、レジスタ、ハード・ディスク、ＣＤ−ＲＯＭ、ＤＶＤ等3/4に記憶されてもよい。
【０１０５】
上記の実施例の大部分は３ＧＰＰベースの通信システム、特に、ＬＴＥに関連して概説されており、用語は３ＧＰＰの用語に主に関係する。しかし、３ＧＰＰベースのアーキテクチャにかかわる様々な実施形態の用語と説明は、本発明の原理と概念を上記のシステムに限定するように意図されてはいない。
【０１０６】
また、ＬＴＥにおけるリソース・マッピングの詳細な説明は、本文書に説明した主に３ＧＰＰの特徴を生かした例示的な実施形態をよりよく理解してもらうためのものであり、移動通信ネットワークにおけるプロセス及び機能のここで述べた特定の実現に本発明を限定するものと解釈すべきではない。しかしながら、本文書で提案された改良は、上記に説明したアーキテクチャに容易に適用可能である。さらに、本発明の概念は、３ＧＰＰによって現在検討中のＬＴＥ ＲＡＮ（無線アクセス・ネットワーク）に容易に使用することもできる。
【０１０７】
要約すれば、本発明は、移動通信システムを介して物理的リソース・ブロックの形で反復重複のあるシンボルを送信するための方法と装置を提供する。本発明によれば、元のシンボルとそれに対応する重複シンボルがいくつかのグループに分けられ、各グループが物理的リソース・ブロックにマッピングされる。対応する元のデータ・シンボルと重複データ・シンボル間のダイバーシチの所望のレベルが、グループ中の元のシンボルの部分を、同一グループ中の重複シンボルの部分がそこにマッピングされる物理的リソース・ブロックとは異なる物理的リソース・ブロックにマッピングすることによって満たされる。
本発明は、第２の物理的リソース・ブロックの中の前記重複データ・シンボルが、第１の物理的リソース・ブロック内の前記元のデータ・シンボルと一致し、前記第２の物理的リソース・ブロック内の同じ位置から開始する、方法である。
本発明は、各グループ（８４０）の各部分（８４１、８４２）が、異なる物理的リソース・ブロック内へマッピングされる、方法である。
本発明は、前記物理的リソース・ブロックが、タイム・スロットと所定の数のサブキャリアによって定義され、第１のグループ（８００）の第１の部分（８１０）と第２の部分（８２０）は、異なるタイム・スロットにマッピングされ、前記複数のグループ（８００、８４０）の残りのグループ（８４０）の第１の部分（８４１）と第２の部分（８４２）は、同一のタイム・スロットにマッピングされる、方法である。
本発明は、前記移動通信システムが３ＧＰＰロングタームエボリューションシステムである、方法である。
本発明は、仮想リソース・ブロックの諸ペアを物理的リソース・ブロックの諸ペアに分散化マッピング（５００）することが適用され、仮想リソース・ブロックの各ペアが、第１のタイム・スロット中の第１の仮想リソース・ブロックと第２のタイム・スロット中の第２の仮想リソース・ブロックを含み、仮想リソース・ブロックの各ペアは周波数領域において共通のインデックス付けによってアドレス指定され、前記第１の仮想リソース・ブロックは第１の物理的リソース・ブロックにマッピングされ、前記第２の仮想リソース・ブロックは第２の物理的リソース・ブロックにマッピングされ、前記第１及び前記第２の物理的リソース・ブロックは、それらの周波数が所定の周波数ギャップの間隔をとり離されていて、異なるタイム・スロットにマッピングされる、方法である。
本発明は、第１のグループ（８００）の前記元のデータ・シンボル（６１０）の第１の部分（８１０）が、第１の仮想リソース・ブロック・ペアの第１の仮想リソース・ブロック内へマッピングされ、前記第１のグループの重複データ・シンボル（６２０）の第２の部分（８２０）が、前記仮想リソース・ブロック・ペアの第２の仮想リソース・ブロック内へマッピングされ、第２のグループ（８４０）の前記元のデータ・シンボル（６１０）の第１の部分（８４１）が、第１の仮想リソース・ブロック・ペアの第２の仮想リソース・ブロック内へマッピングされ、前記第２のグループ（８４０）の前記重複データ・シンボル（６２０）の第２の部分（８４２）が、第２の仮想リソース・ブロック・ペアの第２の仮想リソース・ブロック内へマッピングされる、方法である。
本発明は、前記第１のグループ（８００）以外のグループ（８４０）の前記重複データ・シンボル（６２０）の第２の部分（８４２）が、前記グループ（８４０）の前記元のデータ・シンボル（６１０）の第１の部分（８４１）とタイム・スロット内の同じ位置にマッピングされる、方法である。
本発明は、前記第２の物理的リソース・ブロックの中の前記重複データ・シンボルが、前記第１の物理的リソース・ブロック内の前記元のデータ・シンボルと一致する、前記第２の物理的リソース・ブロック内の同じ位置から開始する、送信器である。
本発明は、リソース・マッパー（１８２０）は、各グループ（８４０）の各部分（８４１、８４２）を異なる物理的リソース・ブロック内へマッピングするように適合される、送信器である。
本発明は、前記物理的リソース・ブロックは、タイム・スロットと所定の数のサブキャリアによって定義され、前記リソース・マッパー（１８２０）は、第１のグループ（８００）の第１の部分（８１０）と第２の部分（８２０）を異なるタイム・スロットにマッピングし、前記複数のグループ（８００、８４０）の残りのグループ（８４０）の第１の部分（８４１）と第２の部分（８４２）を同一のタイム・スロットにマッピングするように適合される、送信器である。
本発明は、前記移動通信システムが３ＧＰＰロングタームエボリューションシステムである、送信器である。
本発明は、前記リソース・マッパー（１８２０）が、仮想リソース・ブロックの諸ペアを物理的リソース・ブロックの諸ペアに分散化マッピング（５００）するように適合され、仮想リソース・ブロックの各ペアは、第１のタイム・スロット中の第１の仮想リソース・ブロックと第２のタイム・スロット中の第２の仮想リソース・ブロックを含み、仮想リソース・ブロックの各ペアは周波数領域において共通のインデックス付けによってアドレス指定され、前記第１の仮想リソース・ブロックは第１の物理的リソース・ブロックにマッピングされ、前記第２の仮想リソース・ブロックは第２の物理的リソース・ブロックにマッピングされ、前記第１及び前記第２の物理的リソース・ブロックは、それらの周波数が所定の周波数ギャップの間隔をとり離されていて、異なるタイム・スロットにマッピングされる、送信器である。
本発明は、前記リソース・マッパー（１８２０）が、第１のグループ（８００）の前記元のデータ・シンボル（６１０）の第１の部分（８１０）を第１の仮想リソース・ブロック・ペアの第１の仮想リソース・ブロック内へマッピングし、前記第１のグループの前記重複データ・シンボル（６２０）の第２の部分（８２０）を前記仮想リソース・ブロック・ペアの第２の仮想リソース・ブロック内へマッピングし、第２のグループ（８４０）の前記元のデータ・シンボル（６１０）の第１の部分（８４１）を第１の仮想リソース・ブロック・ペアの第２の仮想リソース・ブロック内へマッピングし、前記第２のグループ（８４０）の前記重複データ・シンボル（６２０）の第２の部分（８４２）を第２の仮想リソース・ブロック・ペアの第２の仮想リソース・ブロック内へマッピングするように適合される、送信器である。
本発明は、前記リソース・マッパー（１８２０）が、前記第１のグループ（８００）以外のグループ（８４０）の前記重複データ・シンボル（６２０）の第２の部分（８４２）を前記グループ（８４０）の前記元のデータ・シンボル（６１０）の第１の部分（８４１）とタイム・スロット内の同じ位置にマッピングするように適合される、送信器である。
本発明は、コンピュータにより読取り可能なプログラム・コードが収められたコンピュータにより読取り可能な媒体を含んでなるコンピュータ・プログラム製品であり、前記プログラム・コードは既述のステップを実行するように適合される、コンピュータ・プログラム製品である。
本発明は、前記第２の物理的リソース・ブロックの中の前記重複データ・シンボルが、前記第１の物理的リソース・ブロック内の前記元のデータ・シンボルと一致する、前記第２の物理的リソース・ブロック内の同じ位置から開始する、方法である。
本発明は、各グループ（８４０）の各部分（８４１、８４２）が、異なる物理的リソース・ブロックからデマッピングされる、方法である。
本発明は、前記物理的リソース・ブロックが、タイム・スロットと所定の数のサブキャリアによって定義され、第１のグループ（８００）の第１の部分（８１０）と第２の部分（８２０）が、異なるタイム・スロットからデマッピングされ、前記複数のグループ（８００、８４０）の残りのグループ（８４０）の第１の部分（８４１）と第２の部分（８４２）が、同一のタイム・スロットからデマッピングされる、方法である。
本発明は、前記移動通信システムが３ＧＰＰロングタームエボリューションシステムである、方法である。
本発明は、仮想リソース・ブロックの諸ペアを物理的リソース・ブロックの諸ペアに分散化マッピング（５００）することが適用され、仮想リソース・ブロックの各ペアは、第１のタイム・スロット中の第１の仮想リソース・ブロックと第２のタイム・スロット中の第２の仮想リソース・ブロックを含み、仮想リソース・ブロックの各ペアは周波数領域において共通のインデックス付けによってアドレス指定され、前記第１の仮想リソース・ブロックは第１の物理的リソース・ブロックからデマッピングされ、前記第２の仮想リソース・ブロックは第２の物理的リソース・ブロックからデマッピングされ、前記第１及び前記第２の物理的リソース・ブロックは、それらの周波数が所定の周波数ギャップの間隔をとり離されていて、異なるタイム・スロットからデマッピングされる、方法である。
本発明は、第１のグループ（８００）の前記元のデータ・シンボル（６１０）の第１の部分（８１０）が、第１の仮想リソース・ブロック・ペアの第１の仮想リソース・ブロックからデマッピングされ、前記第１のグループの前記重複データ・シンボル（６２０）の第２の部分（８２０）が、前記仮想リソース・ブロック・ペアの第２の仮想リソース・ブロックからデマッピングされ、第２のグループ（８４０）の前記元のデータ・シンボル（６１０）の第１の部分（８４１）が、第１の仮想リソース・ブロック・ペアの第２の仮想リソース・ブロックからデマッピングされ、前記第２のグループ（８４０）の前記重複データ・シンボル（６２０）の第２の部分（８４２）は、第２の仮想リソース・ブロック・ペアの第２の仮想リソース・ブロックからデマッピングされる、方法である。
本発明は、前記第１のグループ（８００）以外のグループ（８４０）の前記重複データ・シンボル（６２０）の第２の部分（８４２）が、前記グループ（８４０）の前記元のデータ・シンボル（６１０）の第１の部分（８４１）とタイム・スロット内の同じ位置からデマッピングされる、方法である。
本発明は、前記第２の物理的リソース・ブロックの中の前記重複データ・シンボルが、前記第１の物理的リソース・ブロック内の前記元のデータ・シンボルと一致する、前記第２の物理的リソース・ブロック内の同じ位置から開始する、受信器である。
本発明は、リソース・デマッパー（１８３０）が、各グループ（８４０）の各部分（８４１、８４２）を異なる物理的リソース・ブロックからデマッピングするように適合される、受信器である。
本発明は、前記物理的リソース・ブロックが、タイム・スロットと所定の数のサブキャリアによって定義され、前記リソース・デマッパー（１８３０）が、第１のグループ（８００）の第１の部分（８１０）と第２の部分（８２０）を異なるタイム・スロットからデマッピングし、前記複数のグループ（８００、８４０）の残りのグループ（８４０）の第１の部分（８４１）と第２の部分（８４２）を同一のタイム・スロットからデマッピングするように適合される、受信器である。
本発明は、前記移動通信システムが３ＧＰＰロングタームエボリューションシステムである、受信器である。
本発明は、前記リソース・デマッパー（１８３０）が、仮想リソース・ブロックの諸ペアを物理的リソース・ブロックの諸ペアに分散化マッピング（５００）するように適合され、仮想リソース・ブロックの各ペアが、第１のタイム・スロット中の第１の仮想リソース・ブロックと第２のタイム・スロット中の第２の仮想リソース・ブロックを含み、仮想リソース・ブロックの各ペアは周波数領域において共通のインデックス付けによってアドレス指定され、前記第１の仮想リソース・ブロックが第１の物理的リソース・ブロックからデマッピングされ、前記第２の仮想リソース・ブロックが第２の物理的リソース・ブロックからデマッピングされ、前記第１及び前記第２の物理的リソース・ブロックが、それらの周波数が所定の周波数ギャップの間隔をとり離されていて、異なるタイム・スロットにマッピングされる、受信器である。
本発明は、前記リソース・デマッパー（１８３０）が、第１のグループ（８００）の前記元のデータ・シンボル（６１０）の第１の部分（８１０）を第１の仮想リソース・ブロック・ペアの第１の仮想リソース・ブロックからデマッピングし、前記第１のグループの前記重複データ・シンボル（６２０）の第２の部分（８２０）を前記仮想リソース・ブロック・ペアの第２の仮想リソース・ブロックからデマッピングし、第２のグループ（８４０）の前記元のデータ・シンボル（６１０）の第１の部分（８４１）を第１の仮想リソース・ブロック・ペアの第２の仮想リソース・ブロックからデマッピングし、前記第２のグループ（８４０）の前記重複データ・シンボル（６２０）の第２の部分（８４２）を第２の仮想リソース・ブロック・ペアの第２の仮想リソース・ブロックからデマッピングするように適合される、受信器である。
本発明は、前記リソース・デマッパー（１８３０）は、前記第１のグループ（８００）以外のグループ（８４０）の前記重複データ・シンボル（６２０）の第２の部分（８４２）を前記グループ（８４０）の前記元のデータ・シンボル（６１０）の第１の部分（８４１）とタイム・スロット内の同じ位置からデマッピングするように適合される、受信器である。
【図１】
0005468606.tif 000003
【図２】
0005468606.tif 000004
【図３】
0005468606.tif 000005
【図４Ａ】
0005468606.tif 000006
【図４Ｂ】
0005468606.tif 000007
【図４Ｃ】
0005468606.tif 000008
【図５】
0005468606.tif 000009
【図６】
0005468606.tif 000010
【図７】
0005468606.tif 000011
【図８Ａ】
0005468606.tif 000012
【図８Ｂ】
0005468606.tif 000013
【図９】
0005468606.tif 000014
【図１０Ａ】
0005468606.tif 000015
【図１０Ｂ】
0005468606.tif 000016
【図１１】
0005468606.tif 000017
【図１２】
0005468606.tif 000018
【図１３】
0005468606.tif 000019
【図１４】
0005468606.tif 000020
【図１５】
0005468606.tif 000021
【図１６】
0005468606.tif 000022
【図１７】
0005468606.tif 000023
【図１８】
0005468606.tif 000024
【図１９】
0005468606.tif 000025